(57)【要約】      （修正有）【課題】アトピー性皮膚炎、乾癬、全身性エリテマトーデス、湿疹、脚気、爪白癬を治療するマイナスイオン温泉装置・設備を提供する。【解決手段】マイナスイオン温泉装置であって、筺体１０の内部には連結パイプ４０で互いに連結された２つのフィルタカートリッジ２０、３０が設置され、複数の異なる効能を備える浄水濾材が内部に充填された第１フィルタカートリッジ２０は、複数の濾過効果を備える複合式の淨化フィルタカートリッジであるとともに、筺体１０の取水パイプ１３と連結され、水道水を流し入れた後、浄化して体を洗う用のきれいな水にする。複数の異なる効能を備えるエネルギー濾材が内部に充填された第２フィルタカートリッジ３０は、複数のエネルギーを放出する複合式の活性化フィルタカートリッジであって、筺体１０の出水パイプ１４と連結されることで、水質を活性化させて良質な水を形成して出水し、使用者が皮膚を洗い流すために使えるようにする。【選択図】図３
0003213592.tif 000002
【実用新案登録請求の範囲】
【請求項１】
筺体と、第１フィルタカートリッジと、第２フィルタカートリッジと、からなる、アト
ピー性皮膚炎、乾癬、全身性エリテマトーデス、湿疹、脚気、爪白癬を治療するマイナ
スイオン温泉装置・設備であって、
筺体は、台座と、シェルカバーと、からなり、台座には少なくとも取水パイプ及び出水パイプが設けられ、
第１フィルタカートリッジは、筺体の内部に設置され、第１フィルタカートリッジの入水口と取水パイプは互いに連結され、前記第１フィルタカートリッジの内部には複数の異なる効能を備える浄水濾材が充填され、
第２フィルタカートリッジは、筺体の内部に設置され、第２フィルタカートリッジの入
水口は連結パイプによって第１フィルタカートリッジの出水口と互いに連結されるとと
もに、出水口は筺体の出水パイプに連結され、前記第２フィルタカートリッジの内部には複数の異なる効能を備えるエネルギー濾材が充填されることを特徴とする、アトピー性皮
膚炎、乾癬、全身性エリテマトーデス、湿疹、脚気、爪白癬を治療するマイナスイオン
温泉装置・設備。
【請求項２】
前記筺体における台座とシェルカバーのカバー面には、対応する磁気部及び磁性部品がそれぞれ設けられることを特徴とする、請求項１に記載のアトピー性皮膚炎、乾癬、全身性エリテマトーデス、湿疹、脚気、爪白癬を治療するマイナスイオン温泉装置・設備。
【請求項３】
前記第１フィルタカートリッジ内部の浄水濾材は、活性炭、亜硫酸カルシウム、ＫＤＦ高性能フィルタ、及び竹炭等の濾材であることを特徴とする、請求項１に記載のアトピー性皮膚炎、乾癬、全身性エリテマトーデス、湿疹、脚気、爪白癬を治療するマイナスイオン温泉装置・設備。
【請求項４】
前記第２フィルタカートリッジ内部のエネルギー濾材は、七色水晶、遠赤外線、マイナスイオンパワーストーン、及びナノセレン、亜鉛、ゲルマニウム元素等の濾材であることを特徴とする、請求項１に記載のアトピー性皮膚炎、乾癬、全身性エリテマトーデス、湿疹、脚気、爪白癬を治療するマイナスイオン温泉装置・設備。
【考案の詳細な説明】
【技術分野】
【０００１】
本考案は浄水設備の構造に関し、特に、浄化及び水質活性化の効果により、入浴することで使用者の皮膚を健康に保つ複数の複合式のフィルタカートリッジ構造設計を備えるマイナスイオン温泉ＳＰＡ装置の構造に関する。
【背景技術】
【０００２】
近代において、商工業が急速に発展するにつれて、水質汚染はますます深刻になっている。人体が汚染された水源の水を飲んだり使用したりすると、水源に残留する重金属、化学物質の毒素、農薬、放射性粒子及びその他の有害物質が人体内部に蓄積され、人体の健康に影響を及ぼす。例えば、塩素、緑青化合物、水銀、鉛、重金属化合物等の汚染物質は、発がん性物質であるだけでなく、人体の腎臟、中枢神経に影響を及ぼす。カルシウム、マグネシウム酸化物等が体内に蓄積されると、結石、血栓等の疾患を引き起こす。亜鉛酸化物は、人体の肝臟、神経に影響を及ぼし、ヒ素等の発がん性物質は烏脚病を引き起こす。硫酸アルミニウム、有機リン、農樂は、人体の神経系、肝臓、及び腎臓に影響を及ぼし、酸化鉄は尿毒症及び代謝失調を引き起こす。水中コロイドは、細菌、ウイルスの発生原因である。
【０００３】
水道水に添加される消毒用の塩素を沸騰すると肝毒性、腎毒性及び発がん性を備えるトリハロメタンが発生し、長期にわたって過度に吸収すると、人体の新陳代謝が著しく低下する可能性があるとともに、膀胱癌、大腸癌を引き起こしやすく、さらには妊婦が流産する可能性が高まることは、周知の事実である。
【０００４】
さらに、多くの生化学の文献の報告から分かる通り、マイナス水素イオンは、その原子上にさらにもう１つ電子をもつことによって、マイナス電位を帯びてマイナスイオンになり、非常に強力な抗酸化力を有する。これを人体に応用すると、人体におけるプラスイオンとマイナスイオンのバランスを整える作用を備え、各種疾患を誘発する元凶である活性酸素ラジカルを効果的に除去し、細胞活性を増強することで、自然治癒力が向上し、細胞の健康が維持される。特に、血液循環に影響を及ぼすと、細い血管内の活性酸素が除去され、血流量が増し、末梢細胞に十分な酸素が提供される。血管細胞の老化または酸化が抑制され、細胞代謝及び修復機能が促進される。さらに、生理機能が調整され、体の抵抗力及び心肺機能を向上させることができるだけではなく、新陳代謝を促進して老化を遅らせることができる。人体に有害な電磁波を除去するとともに、細胞膜の電位を変えることで細胞を活性化させる。さらに、がん、心臓血管疾患、糖尿病、消化器系、呼吸器系、神経系等の人体の各主なシステムにおける疾患すべてに好ましい效果がある。
【考案の概要】
【考案が解決しようとする課題】
【０００５】
本考案は、主に、人体が必要とするミネラル及び微量元素を提供し、同時にマイナスイオンを放出するとともに水中の酸素含有量を増加させ、さらに複数の効能を備える良質の洗浄用の水を製造することで、体内の酸毒を中和し、人体を健康な弱アルカリ性状態に保つことにより、人体が活性酸素に対抗するのを助けると同時に、人体における神経等の痛み、痛風、糖尿病、高血圧、高脂血症、結石、心臓血管等の慢性疾患の予防効果を備え、さらに人体機能を整え、細胞を活性化させて生命力を強化し、老化を遅らせ、便秘及び不眠症等の症状を改善することのできるマイナスイオン温泉装置・設備を提供することを目的とする。
【課題を解決するための手段】
【０００６】
上述の目的を達成するために、本考案が設けるアトピー性皮膚炎、乾癬、全身性エリテマトーデス、湿疹、脚気、爪白癬を治療するマイナスイオン温泉装置・設備は、筺体と、第１フィルタカートリッジと、第２フィルタカートリッジと、からなる。そのうち、前記筺体は、台座と、シェルカバーと、からなり、台座には少なくとも取水パイプ及び出水パイプが設けられることを特徴とする。さらに、複数の異なる効能を備える浄水濾材が内部に充填された第１フィルタカートリッジは、複数の濾過效果を備える複合式の淨化フィルタカートリッジであるとともに、フィルタカートリッジの入水口と筺体の取水パイプは連結され、水道水が入れられると淨化してきれいな洗浄用の水にする。複数の異なる効能を備えるエネルギー濾材が内部に充填された前記第２フィルタカートリッジは、複数のエネルギーを放出する複合式の活性化フィルタカートリッジであり、水質を活性化させて良質な水を生成する。前記第２フィルタカートリッジの入水口は、連通パイプによって第１フィルタカートリッジの出水口と互いに連結されるとともに、第２フィルタカートリッジの出水口は、筺体の出水パイプに連結される。
【考案の効果】
【０００７】
水源を第１フィルタカートリッジによって浄化した後、さらに第２フィルタカートリッジによってエネルギーを付与し、さらに高い浸透性及び溶解力を備える良質な活性エネルギー水を出力する。これにより、使用者がその水で皮膚を洗い流すことで、人体の細胞が活性化され、新陳代謝が促進され、体質が改善する。
【図面の簡単な説明】
【０００８】
【図１】本考案の構造を分解図である。
【図２】本考案の斜視外観図である。
【図３】本考案の断面図である。
【図４】本考案を使用した場合の実施例図である。
【考案を実施するための形態】
【０００９】
図１〜３図を参照する。本考案は、筺体１０と、第１フィルタカートリッジ２０と、第２フィルタカートリッジ３０と、からなる。
【００１０】
前記筺体１０は、台座１１と、シェルカバー１２と、からなり、ケースの外側（本実施例では台座１１の底部）には、取水パイプ１３と、出水パイプ１４が設けられ、内部の収容空間に通じている。
【００１１】
複数の異なる効能を備える浄水濾材２１が内部に充填された前記第１フィルタカートリッジ２０は、複数の濾過效果を備える複合式の淨化フィルタカートリッジであって、取水パイプ１３と互いに連結され、筺体１０の内部に設けられる。浄水濾材２１は、それぞれ活性炭、亜硫酸カルシウム、ＫＤＦ高性能フィルタ、及び竹炭等の濾材であるとともに、中が空洞の筒状フィルタ２２の内部に順番に積み重ねられて設けられる。前記筒状フィルタ２２の両端には、それぞれスルーホールを備えるエンドカバー２３が覆設され、前記フィルタカートリッジの入水口２４及び出水口２５が形成される。出水口２５には、Ｌ型エルボ２６が連結され、入水口２４を台座１１の取水パイプ１３に直接接続することにより、水道水を流し入れ浄化する。
【００１２】
複数の異なる効能を備えるエネルギー濾材３１が内部に充填された第２フィルタカートリッジ３０は、複数のエネルギーを放出する複合式の活性化フィルタカートリッジであり、第１フィルタカートリッジ２０と直列連結されて筺体１０の内部に設けられ、出水パイプ１４と互いに連結される。前記エネルギー濾材３１には、それぞれ七色水晶、遠赤外線、マイナスイオンパワーストーン、及びナノセレン、亜鉛、ゲルマニウム元素等の濾材が設けられ、前記エネルギー濾材３１は、中が空洞の筒状フィルタ３２の内部に順番に積み重ねられて設けられる。前記筒状フィルタ３２の両端には、スルーホールを備えるエンドカバー３３が覆設され、前記フィルタカートリッジの入水口３４及び出水口３５が形成される。入水口３４には、Ｌ型エルボ３６が連結され、出水口３５を台座１１の出水パイプ１４に連結し、連結パイプ４０によって第１フィルタカートリッジ２０の出水口２５と第２フィルタカートリッジ３０の入水口３４に連結されるとともに、連結パイプ４０の両端は、便利なナット４１及びパッキン４２によってそれぞれＬ型エルボ（２６、３６）の開放端に固定されることによって、２つのフィルタカートリッジ（２０、３０）が直列連結される。
【００１３】
固定穴（２７、３７）を備える接合部（２８、３８）が筒状フィルタ（２２、３２）の外部に設けられる第１フィルタカートリッジ２０と第２フィルタカートリッジ３０は、ボルト２９によって筺体１０の台座に固定される。台座１１の周辺には磁気部１５が設けられ、シェルカバー１２のカバー面には対応する磁性部品１６が設けられ、シェルカバー１２は磁気による吸引方式で台座１１に固定される。
【００１４】
図３、図４を参照する。使用時に、筺体１０の取水パイプ１３をパイプ体によって原水口５０に連結して水道水を流し入れ、出水パイプ１４はパイプ体によって蛇口６０に連結されて、濾過されて活性化された濾過浄化水が出てくることで使用者は肌皮膚を洗い流すのに用いることができる。本考案の第１フィルタカートリッジ２０は、活性炭、亜硫酸カルシウム、ＫＤＦ高性能フィルタ及び竹炭等の浄水濾材２１が内部に充填されており、水道水が第１フィルタカートリッジ２０を通過する時、活性炭によって水の異臭及び付着した不純物が濾過されて取り除かれる。亜硫酸カルシウムは、水道水に含まれる残留塩素を除去することができる。ＫＤＦ高性能濾材は、塩素、農藥、トリハロメタン、悪臭、有機物等といった重金属・化学物質を強力に吸着するとともに、水質を弱アルカリ性にする。竹炭は、水の異臭、不純物、有機物等を除去することができる。上述の濾材によって、水道水を浄化してきれいな良質の水にすることで、使用者はその水で皮膚を洗い流すことができる。
【００１５】
第２フィルタカートリッジ３０は、七色水晶、遠赤外線粒子、マイナスイオンパワーストーン、及びナノセレン、亜鉛、ゲルマニウム元素等のエネルギー濾材３１が内部に充填されており、淨化されたきれいな水が第２フィルタカートリッジ３０を通過する時、七色水晶の活性化された球が備える振動、波動の効果によって、水中のエネルギー磁場の周波数が変化する。前記遠赤外線粒子は、天然の遠赤外線陶土を焼いて作られ、水分子クラスターを縮小する効能を備える。マイナスイオンパワーストーンは、マイナスイオンを放出することができ、マイナス水素イオン水にする。ナノセレン、亜鉛、ゲルマニウム元素において、前記ナノセレンは、１つの簡単な酸化還元システムによって製造された安定性の高いナノセレン材料であって、高い生物学的利用能を備え、単位はわずか２０〜６０ｎｍである。セレンは、人体が必要とする微量元素であって、人体の抗酸化システムに決定的な影響力をもち、免疫の調整、抗酸化、抗感染等の複数の効能を備える。亜鉛は、人体に含まれる量がわずかに鉄より少ない微量ミネラルであって、人体組織のほぼすべてに微量に含まれており、体内における複数の重要な酵素を活性化すると同時に、さらに非常に優れた抗酸化力を備え、免疫システム等の効能を高める。
【００１６】
本考案のナノ亜鉛は、ハイテク技術によって粒径の大きさが均一にされているとともに分布範囲が狭く、同時に遠赤外線による二重効果を備える複合材料製品であるため、応用領域がさらに広範囲である。ナノゲルマニウムは無機合金ゲルマニウムを採用し、高温及びナノ化によって材料にキレートし、大量の負電荷イオンを励起させることができるとともに、水と皮膚によって体に入り、疲労因子（プラスイオンによって生成される乳酸）を中和することができ、抗酸化の効能を備え、活性化を促進して有效成分の浸透率を向上させることができる。さらに、効果的に有機活性成分を放出することができ、強力な脱水素効果を備えると同時に、酸素含有量を増加させる。よって第２フィルタカートリッジ３０の活性化によって、水質にエネルギーが付与され、さらに活性エネルギーを備える良質の水を出水することによって使用者が皮膚を洗うことができるようにする。
【符号の説明】
【００１７】
１０  筺体
１１  台座
１２  シェルカバー
１３  取水パイプ
１４  出水パイプ
１５  磁気部
１６  磁性部品
２０  第１フィルタカートリッジ
２１  浄水濾材
２２  筒状フィルタ
２３  エンドカバー
２４  入水口
２５  出水口
２６  エルボ
２７  固定穴
２８  接合部
２９  ボルト
３０  第２フィルタカートリッジ
３１  エネルギー濾材
３２  筒状フィルタ
３３  エンドカバー
３４  入水口
３５  出水口
３６  エルボ
３７  固定穴
３８  接合部
４０  連結パイプ
４１  ナット
４２  パッキン
５０  原水口
６０  蛇口
【図１】
0003213592.tif 000003
【図２】
0003213592.tif 000004
【図３】
0003213592.tif 000005
【図４】
0003213592.tif 000006